(57)【要約】【課題】分割型洗浄槽を構成する部材同士の接合部の隙間より漏れ出た洗浄水を、導水路により集め、洗浄槽内へ回収することで、製造が簡単であり、また水漏れを防止でき、衛生的にも好ましい食器洗浄機を提供すること。【解決手段】下部に洗浄水貯留部２１を有する洗浄槽底部部材５と、洗浄槽底部部材５上に載置される洗浄槽上部部材４とからなる食器等の洗浄槽を有し、洗浄槽底部部材５には、洗浄槽上部部材４を支持する受け部２２及びこの受け部２２の外周に垂直壁２３が設けられ、洗浄槽底部部材５上に洗浄槽上部部材４を載置した状態で、洗浄槽底部部材５の受け部２２及び垂直壁２３と、洗浄槽上部部材４の側壁１８とにより導水路２５が形成され、導水路２５により内部に溜った水を洗浄水貯留部２１に導水する。【選択図】　　　　図１
2004089564.tif 000002
【特許請求の範囲】
【請求項１】
下部に洗浄水貯留部を有する洗浄槽底部部材と、該洗浄槽底部部材上に載置される洗浄槽上部部材とからなる食器等の洗浄槽を有し、前記洗浄槽底部部材には、前記洗浄槽上部部材を支持する受け部及び該受け部の外周に垂直壁が設けられ、前記洗浄槽底部部材上に前記洗浄槽上部部材を載置した状態で、前記洗浄槽底部部材の受け部及び垂直壁と、前記洗浄槽上部部材の側壁とにより導水路が形成され、該導水路により内部に溜った水を前記洗浄水貯留部に導水することを特徴とする食器洗浄機。
【請求項２】
上部の部材を支持する受け部及びその外周に垂直壁が設けられ、下部の部材上に載置される洗浄槽中間部材を有し、該洗浄槽中間部材を前記洗浄槽上部部材と洗浄槽底部部材との間に設置したことを特徴とする請求項１記載の食器洗浄機。
【請求項３】
前記洗浄槽底部部材の前壁と前記洗浄槽上部部材の投入フランジに設けた凹部との間に、前記導水路に連通する逃し部を設けたことを特徴とする請求項１又は２記載の食器洗浄機。
【請求項４】
前記洗浄槽底部部材の受け部に止水壁を立設すると共に、前記洗浄槽上部部材の下部に止水壁受け部を設けたことを特徴とする請求項１〜３のいずれかに記載の食器洗浄機。
【請求項５】
前記洗浄槽底部部材と前記洗浄槽上部部材との接合部、及び前記洗浄槽中間部材との接合部に、パッキンを介装したことを特徴とする請求項１〜４のいずれかに記載の食器洗浄機。
【請求項６】
食器等を洗浄する洗浄水を供給するための給水弁を、前記導水路の上方に取り付けたことを特徴とする請求項１〜５のいずれかに記載の食器洗浄機。
【請求項７】
給水弁に水又は湯を送水する給水管を、前記給水弁から下方へ向かって配管したのちほぼＵ型状に屈曲させ、該給水管のそれ以降の全て又は一部を前記屈曲部より上方へ向かって配管したことを特徴とする請求項６記載の食器洗浄機。
【発明の詳細な説明】
【０００１】
【発明の属する技術分野】
本発明は、洗浄水の噴射により食器等の洗浄を行う食器洗浄機に関するものである。
【０００２】
【従来の技術】
図１０は後述の特許文献１に記載された従来の食器洗浄機を示す縦断面図、図１１は図１０の洗浄槽を構成する部材の係合部を示す要部縦断面図である。図において、１０１は食器洗浄機本体、１０２は食器１０３等を収容して洗浄する洗浄槽で、底部を構成する樹脂製の底部構成部材１０４と、その上部に設けられ、前面が開口されたステンレス鋼などの金属製の洗浄槽本体１０５とで構成されている。
【０００３】
また、１０６は食器１０３等を出し入れする投入口、１０７は投入口１０６を開閉するための扉、１０８は食器１０３等をセットする食器かご、１０９は食器１０３等を洗浄するための洗浄水を供給する給水弁、１１０は供給された洗浄水を循環させる洗浄ポンプ、１１１は洗浄ポンプ１１０から送水された洗浄水を食器１０３等に向けて噴射する洗浄ノズルである。
【０００４】
上述した洗浄槽１０２は、底部構成部材１０４と、洗浄槽本体１０５とから構成される分割型洗浄槽であり、それらの部材同士の接合部の構成を、図１１を用いて説明する。
【０００５】
１１２は底部構成部材１０４の周縁に形成された立ち上がり部、１１３は立ち上がり部１１２の内方に形成された受け部である。１１５は洗浄槽本体１０５の下端部を外方に向けて屈曲したほぼＵ字状の係合部で、底部構成部材１０４に形成された受け部１１３に上方から挿着され、立ち上がり部１１２の先端部に設けた係止部１１４にそれ自身の弾性によって係止するようになっている。
【０００６】
【特許文献１】
特許第３１０９５１１号公報（第２頁−第３頁、図１、図２）
【０００７】
【発明が解決しようとする課題】
しかしながら、上述したような従来の食器洗浄機においては、底部構成部材１０４と洗浄槽本体１０５との接合部の水密性が必ずしも良好ではないため、洗浄ノズル１１１より勢いよく噴射された洗浄水や、食器１０３等から跳ね返された洗浄水が、この接合部から漏れ出るおそれがあり、製造時のバラツキも考慮した水密性の良好な接合部を構成するためには、部材増加によるコストアップや、製造が複雑、困難になるなどの問題が生じる。
【０００８】
また、底部構成部材１０４と洗浄槽本体１０５との接合部から、洗浄ノズル１１１より噴射された勢いのある洗浄水などが漏れでた場合には、その洗浄水は底部構成部材１０４に形成された受け部１１３に溜り続けることになり、このように水が溜まったままであると、いずれその水が腐敗するなどして衛生的にも問題を生ずることとなり、なによりも、これが長時間連続的に繰り返された場合には、溜り続けた水が立ち上がり部１１２から溢れ出て、食器洗浄機の内部に流れ出し、機外へ漏れ出すという問題があった。
【０００９】
さらに、給水弁１０９自体、又は給水弁１０９と給水管との接続部から水漏れが発生したときには、その漏れ出した水が食器洗浄機の内部に漏れ出し、その水が食器洗浄機外へも漏れ出すという問題もあった。なお、給水弁１０９には給水管から常時送水が行われているのが通常で、上述したような水漏れが発生したときには、使用者がその水漏れに気付くまで、水漏れし続けるという重大な問題になることがある。
【００１０】
本発明は、上述したような課題を解決するためになされたもので、分割型洗浄槽を構成する部材同士の接合部の隙間より漏れ出た洗浄水を、導水路により集め、洗浄槽内へ回収することで、製造が簡単であり、また水漏れを防止でき、衛生的にも好ましい食器洗浄機を提供することを目的としたものである。
【００１１】
【課題を解決するための手段】
本発明に係る食器洗浄機は、下部に洗浄水貯留部を有する洗浄槽底部部材と、洗浄槽底部部材上に載置される洗浄槽上部部材とからなる食器等の洗浄槽を有し、洗浄槽底部部材には、洗浄槽上部部材を支持する受け部及びこの受け部の外周に垂直壁が設けられ、洗浄槽底部部材上に洗浄槽上部部材を載置した状態で、洗浄槽底部部材の受け部及び垂直壁と、洗浄槽上部部材の側壁とにより導水路が形成され、導水路により内部に溜った水を洗浄水貯留部に導水するようにした。
これにより、上下の部材の接合部の隙間から漏れた洗浄水を導水路に集めて洗浄槽内に回収することができる。また簡単な構造で水漏れを防止でき、衛生的にも向上する。
【００１２】
また、上部の部材を支持する受け部及びその外周に垂直壁が設けられ、下部の部材上に載置される洗浄槽中間部材を有し、この洗浄槽中間部材を洗浄槽上部部材と洗浄槽底部部材との間に設置した。
これにより、洗浄する食器等の収容量が多い食器洗浄機を実現する手段として、洗浄槽中間部材を用いて大形の洗浄槽を構成しても、各部材同士の接合部の隙間等から漏れた洗浄水を導水路に集めて洗浄槽内へ回収することができる。また簡単な構造で水漏れを防止でき、衛生的にも向上する。
【００１３】
また、洗浄槽底部部材の前壁と洗浄槽上部部材の投入フランジに設けた凹部との間に、導水路に連通する逃し部を設けた。
これにより、導水部に溜った水を洗浄槽内にスムーズに流出させることができる。
【００１４】
さらに、洗浄槽底部部材の受け部に止水壁を立設すると共に、洗浄槽上部部材の下部に止水壁受け部を設けた。
これにより、洗浄水が上下の部材の嵌合部の隙間から漏れた場合でも、導水路に届く前に食い止めることができる。また、成形後の変形があった場合でも、上下の部材の端部が内外にうねることはない。
【００１５】
また、洗浄槽底部部材と洗浄槽上部部材との接合部及び洗浄槽中間部材との接合部に、パッキンを介装した。
これにより、上下の部材の接合部の隙間から漏れた洗浄水を、パッキンにより食い止めることができ、それでも水漏れが進行するような場合には導水路に集めて洗浄槽内へ回収することができる。
【００１６】
さらに、食器等を洗浄する洗浄水を供給するための給水弁を、導水路の上方に取り付けた。
これにより、給水弁自体から水漏れが発生した場合でも、その漏れた水を導水路に集めて洗浄槽内へ回収することにより、直接食器洗浄機本体内へ洗浄水が流れ出すことを確実に防止する。
【００１７】
また、給水弁に水又は湯を送水する給水管を、給水弁から下方へ向かって配管したのちほぼＵ型状に屈曲させ、給水管のそれ以降の全て又は一部を屈曲部より上方へ向かって配管した。
これにより、給水弁と給水管との接続部から水漏れが発生した場合でも、その漏れ水を導水路に集めて洗浄槽内へ回収することにより、直接食器洗浄機本体内へ洗浄水が流れ出すことを確実に防止する。
【００１８】
【発明の実施の形態】
［実施の形態１］
本発明の実施の形態１である食器洗浄機について、図１から図４を用いて説明する。図１は食器洗浄機全体を示す縦断面図であり、図において、１は食器洗浄機本体、２は食器３等を収容して洗浄する洗浄槽で、洗浄槽底部部材５の上方に、洗浄槽上部部材４を嵌合することにより構成される分割型洗浄槽である。
【００１９】
６は洗浄槽上部部材４の前面側に設けられて食器３等を出し入れする投入口、７は食器洗浄機本体１に開閉自在に設けられて投入口６を開閉するための扉、８は扉７を閉塞したときの止水性能を確保する扉パッキンである。９は食器３等をセットする食器かご、１０は食器３等を洗浄する洗浄水を供給するための給水弁で、この給水弁１０には、家屋の止水栓（図示せず）から給水管１１を通じて水又は湯が常時送水されている。１２は給水弁１０によって洗浄槽２に供給された洗浄水が、適量値であるかどうかを検出するための水位検知装置で、この水位検知装置１２により洗浄水の適量が検出されたときは、制御部（図示せず）を介して、給水弁１０を閉じる制御動作が行われる。１３は供給された洗浄水を加熱するためのヒーター、１４は供給された洗浄水を循環させるための洗浄ポンプ、１５は洗浄ポンプ１４から送水された洗浄水を食器３等に向けて噴射する洗浄ノズルである。
【００２０】
上述した通り洗浄槽２は、洗浄槽上部部材４と洗浄槽底部部材５（以下、両者を合わせて両部材４，５ということがある）とから構成される分割型洗浄槽であり、前記両部材４，５の各部位の名称及びその働きについての詳細は、図２の洗浄槽を構成する部材を示す斜視図、図３の洗浄槽を構成する部材を示す部分断面図を含む正面図、及び図４の洗浄槽の逃がし部を示す要部断面図（図３のＩ−Ｉ断面）を用いて説明する。
【００２１】
まず、図２に示す洗浄槽上部部材４において、１６は洗浄槽上部部材４の開口された底部、１７は底部１６の外周部に形成された底面フランジであり、この底面フランジ１７の幅は、後述する洗浄槽底部部材５に形成された受け部２２の幅より若干狭くなっている。１８は洗浄槽上部部材４の３側面を構成する側壁、１９は投入口６の外周部に形成された投入口フランジ、２０は投入口フランジ１９の下方に、その前面から後退して底面フランジ１７と同じ幅で形成された凹部である。
【００２２】
次に、図２に示す洗浄槽底部部材５において、２１は洗浄水を貯留するための洗浄水貯留部、２２はその外周部に形成された洗浄槽上部部材４を支持するための受け部、２３は受け部２２を覆うように立設された垂直壁であり、この垂直壁２３は洗浄槽底部部材５の前面を構成する前壁２４と連続的に形成されている。
【００２３】
このように形成された両部材４，５は、図３に示すように、洗浄槽底部部材５を洗浄水貯留部２１が下になるように配置し、受け部２２に洗浄槽上部部材４の底面フランジ１７を嵌合することにより一体化される。これにより、投入口６を除く各面がつながり、食器３等が収容できる空間を内部に持つ洗浄槽２が構成される。
【００２４】
このとき、洗浄槽上部部材４の側壁１８と、洗浄槽底部部材５の受け部２２を覆うように立設した垂直壁２３とが相対するような位置関係となるため、これら両部位の間の溝状の空間により導水路２５が形成され、これにより、洗浄ノズル１５より勢いよく噴射された洗浄水や、食器３等から跳ね返された洗浄水が両部材４，５の嵌合部から漏れた場合でも、導水路２５に貯留することができ、一時的ではあるが、食器洗浄機本体１内へ洗浄水が流れ出すのを防止することができる。
【００２５】
また、図４に示すように、洗浄槽上部部材４の投入口フランジ１９の下方に形成された凹部２０と洗浄槽底部部材５の前壁２４とが相対するような位置関係となるため、これら凹部２０と前壁２４との間に洗浄槽上部部材４の底面フランジ１７と洗浄槽底部部材５の垂直壁２３との間に形成された隙間２７に連通する空間が生じ、この空間により上述した導水路２５に溜った洗浄水を洗浄槽２内へ回収するための逃がし部２６が形成される。これにより、導水路２５に洗浄水が溜り続けることがなくなり、長時間連続的に運転を繰り返された場合でも、直接食器洗浄機本体１内へ流れ出すのを確実に防止できる。
【００２６】
なお、導水路２５に溜った洗浄水を洗浄槽２内へ回収するための逃がし水路を、なぜ逃がし部２６のように複雑に構成し、食器かご９の位置から遠い投入口６の近傍に設けたかであるが、これは、食器洗浄機特有の問題を解決するためである。
【００２７】
まず、逃がし部２６の構成と働きであるが、これを再度整理すると、図４に矢印Ａで示すように、導水路２５に溜まった洗浄水は、洗浄槽底部部材５に立設した垂直壁２３と底面フランジ１７との間に形成された隙間２７を流れ出た後、洗浄槽底部部材５の前壁２４によりその進行を直角に曲げられ、上述した逃がし部２６を通過し、洗浄水貯留部２１へ回収されるという経路をたどることとなる。逆に、洗浄槽２内の洗浄ノズル１５より勢いよく噴射された洗浄水や、食器３等から跳ね返された洗浄水が仮に逃がし部２６に浸入しても、その前方に位置する垂直壁２３によりその推進力は弱められ、結果として、導水路２５に逆流することが困難となる。従って、上述したような逃がし部２６は、単純な通水路状のものでは実現できない、本来の洗浄水回収を実現することができる。
【００２８】
次に、逃がし部２６が構成されている位置についてであるが、そもそも、洗浄ノズル１５より勢いよく噴射された洗浄水や、食器３等から跳ね返された洗浄水を、逃がし部２６で直接受けなくすれば、洗浄水の逆流の危険度は一気に低下するのであって、これを限られた洗浄槽２内で容易に実現するには、食器かご９の位置から遠い投入口６の近傍に配置することが一番適しているのである。
【００２９】
なお、本実施の形態に示す食器洗浄機においては、扉７を開いたときの意匠の仕上がり及び扉パッキン８の止水性能を安定して確保するために、洗浄槽２を構成する両部材４，５を嵌合して一体化したときに、洗浄槽上部部材４の投入口フランジ１９と洗浄槽底部部材５の前壁２４とが、同一面となるような寸法関係で形成されている。よって、洗浄槽上部部材４の投入口フランジ１９の下方に凹部２０を形成することにより逃がし部２６を構成するようにしたものである。
【００３０】
［実施の形態２］
本発明の実施の形態２である食器洗浄機について、食器洗浄機全体を表す縦断面図である図５を用いて説明する（なお、以下の実施の形態においては、実施の形態１と同じ部位にはこれと同じ符号を付し、説明を省略する）。図において、２８は洗浄槽底部部材５の受け部２２に立設された第一止水壁、２９は洗浄槽上部部材４の底部１６の下部外周部に、底面フランジ１７に代えて設けられた下部が開口するコの字状の第一止水壁２８の受け部である。
【００３１】
以上のような実施の形態２の食器洗浄機においては、洗浄槽２の内部から見て、導水路２５の手前側に第一止水壁２８を立設したことにより、洗浄ノズル１５より勢いよく噴射された洗浄水や、食器３等から跳ね返された洗浄水が、両部材４，５の嵌合部の隙間から漏れ出た場合でも、その漏れ出た洗浄水が導水路２５に届く前に食い止められることになり、実施の形態１に示した、導水路２５及びそれに関連する逃がし部２６を用いて行う、導水路２５に溜まった洗浄水を洗浄槽２内へ回収する働きを、バックアップすることができる。
【００３２】
また、大形で、かつ、樹脂成形品からなることの多い洗浄槽上部部材４と洗浄槽底部部材５とを一体化するうえにおいて、成形後の変形があった場合でも、第一止水壁２８と受け部２９とを、嵌合可能なよう構成したことにより、両部材４，５の端部が内外にうねるのを防止できる。
【００３３】
［実施の形態３］
本発明の実施の形態３である食器洗浄機について、食器洗浄機全体を表す縦断面図である図６を用いて説明する。図において、３０は洗浄槽底部部材５の外周部に形成された洗浄槽上部部材４を支持するための受け部２２と、洗浄槽上部部材４に形成された底面フランジ１７との間に装着された接合部パッキンである。
【００３４】
上記のような本発明の実施の形態４の食器洗浄機においては、洗浄槽２の内部から見て、導水路２５の手前側に接合部パッキン３０を装着したことにより、洗浄ノズル１５より勢いよく噴射された洗浄水や、食器３等から跳ね返された洗浄水が、両部材４，５の嵌合部の隙間から漏れ出た場合でも、その漏れ出た洗浄水が導水路２５に届く前に食い止められることになり、実施の形態１に示した、導水路２５及びそれに関連する逃がし部２６を用いて行う、導水路２５に溜まった洗浄水を洗浄槽２内へ回収する働きを、バックアップすることができる。
【００３５】
［実施の形態４］
本発明の実施の形態４である食器洗浄機について、食器洗浄機全体を表す縦断面図である図７を用いて説明する。図において、２８は実施の形態２の場合と同様に、受け部２２に立設された第一止水壁、２９は洗浄槽上部部材４の底部１６の外周部に下部が開口するコの字状に形成された第一止水壁２８の受け部、３１は第一止水壁２８と受け部２９とを嵌合したとき生ずる隙間を埋めるような形で第１の止水壁２８に装着された断面ほぼコ字状の接合部パッキンである。
【００３６】
上記のような実施の形態４の食器洗浄機においては、洗浄槽２の内部から見て、導水路２５の手前側に第一止水壁２８を立設し、かつ、第一止水壁２８と受け部２９とを嵌合させたとき生ずる隙間を埋めるような形で接合部パッキン３１を装着したことにより、洗浄ノズル１５より勢いよく噴射された洗浄水や、食器３等から跳ね返された洗浄水が、両洗浄槽の嵌合部の隙間から漏れ出た場合でも、その漏れ出た洗浄水が導水路２５に届く前に食い止められることになり、実施の形態１に示した、導水路２５及びそれに関連する逃がし部２６を用いて行う、導水路２５に溜まった洗浄水を洗浄槽２内へ回収する働きをバックアップすることができる。
【００３７】
［実施の形態５］
本発明の実施の形態５である食器洗浄機について、食器洗浄機全体を表す縦断面図である図８を用いて説明する。図において、４は洗浄槽２の上方を構成する洗浄槽上部部材、１０は食器３等を洗浄するのに用いる洗浄水を供給するための給水弁であり、この給水弁１０は、洗浄槽上部部材４の３側面を構成する側壁１８に取り付けられている。なお、給水弁１０の下方には、洗浄槽上部部材４の側壁１８と洗浄槽下部部材５の受け部２２を覆うように立設した止水壁２３との間の空間で構成される導水路２５が位置している。
【００３８】
１１は給水弁１０に水又は湯を送水するための給水管であり、この給水管１１は、給水弁１０から下方へと向かって配管され、その後、ほぼＵ字状に屈曲され、それ以降は屈曲部３２より上方へ向かって配管されている。なお、上述した給水弁１０と同様に、給水管１１の下方には導水路２５が位置する。
【００３９】
従って、給水弁１０が、例えばウォーターハンマー現象などに代表される、家屋配管内の急激な圧力変動により破壊したり、また、給水弁１０内に残っている残水が冬季の温度低下により凍結し、その凍結による残水の体積膨脹により破壊したりした場合でも、給水弁１０の下方に位置する導水路２５及びそれに連通する逃がし部２６の効果により、給水弁１０自体から漏れた水又は湯は、導水路２５に溜まった後、逃がし部２６を経由して洗浄槽２内へ回収されることになり、直接食器洗浄機本体１内へ流れ出すことが確実に防止できる。なお、給水弁１０には給水管１１から常時送水が行われているのが通常なので、給水弁１０自体からも水又は湯が漏れることもある。
【００４０】
また、例えばパッキン等の劣化が原因で、給水弁１０と給水管１１との接続部から水漏れが発生した場合でも、その漏れ出た水又は湯は、給水弁１０から下方へと向かって配管された給水弁１１を伝わりながら漏れることとなり、その後屈曲部３２の頂点から滴下することになる。このとき、上述した給水弁１０と同様に、下方に位置する導水路２５及びそれに連通する逃がし部２６との効果により、給水弁１０自体から漏れた水又は湯は、導水路２５に溜まった後、逃がし部２６を経由して洗浄槽２内へ回収されることとなり、直接食器洗浄機本体１内へ流れ出すことが確実に防止できる。
【００４１】
［実施の形態６］
本発明の実施の形態６である食器洗浄機について、食器洗浄機全体を表す縦断面図である図９を用いて説明する。図において、３３は洗浄槽上部部材４と洗浄槽底部部材５との間に設置された洗浄槽中間部材であり、この洗浄槽中間部材３３の上方には受け部２２ａ及び垂直壁２３ａが、下方には底面フランジ１７ａ及び凹部２０ａが形成されている。なお、図には洗浄槽中間部材３３を１個設けた場合を示したが、２個以上積層してもよい。
【００４２】
上記のような実施の形態６の食器洗浄機においては、食器収容量が多い食器洗浄機を実現する手段として、洗浄槽中間部材３３を用いて大形の洗浄槽２を構成するときに、洗浄槽中間部材３３にも実施の形態１に示した構造をもり込むことにより、導水路２５及びそれに連通する逃がし部２６を用いて導水路２５に溜まった洗浄水を洗浄槽２内に回収する働きを、各接合部ごとに持たせることができる。
【００４３】
【発明の効果】
以上の説明から明らかなように、本発明によれば、分割型洗浄槽を構成する部材同士の接合部の隙間より漏れ出た洗浄水を、導水路に集めて洗浄槽内へ回収するようにしたので、構造が簡単で水漏れを防止でき、衛生的にも向上し得る食器洗浄機を実現することができる。
【図面の簡単な説明】
【図１】本発明の実施の形態１に係る食器洗浄機の全体を示す縦断面図である。
【図２】図１の洗浄槽を構成する部材の分解斜視図である。
【図３】図１の洗浄槽を構成する部材を示す部分断面を含む正面図である。
【図４】図３のＩ−Ｉ断面図である。
【図５】本発明の実施の形態２に係る食器洗浄機の全体を示す縦断面図である。
【図６】本発明の実施の形態３に係る食器洗浄機の全体を示す縦断面図である。
【図７】本発明の実施の形態４に係る食器洗浄機の全体を示す縦断面図である。
【図８】本発明の実施の形態５に係る食器洗浄機の全体を示す縦断面図である。
【図９】本発明の実施の形態６に係る食器洗浄機の全体を示す縦断面図である。
【図１０】従来の食器洗浄機の一例の全体を示す縦断面図である。
【図１１】図１０の洗浄槽を構成する部材の係合部を示す要部断面図である。
【符号の説明】
１　食器洗浄機本体、２　洗浄槽、３　食器、４　洗浄槽上部部材、５　洗浄槽底部部材、１０　給水弁、１１　給水管、１５　洗浄ノズル、１６　洗浄槽上部部材の底部、１７　底面フランジ、１８　側壁、１９　投入口フランジ、２０凹部、２１　洗浄水貯留部、２２　受け部、２３　垂直壁、２４　前壁、２５導水路、２６　逃がし部、２７　隙間、２８　第一止水壁、２９　第一止水壁の受け部、３０，３１　接合部パッキン、３２　屈曲部、３３　洗浄槽中間部材。
【図１】
2004089564.tif 000003
【図２】
2004089564.tif 000004
【図３】
2004089564.tif 000005
【図４】
2004089564.tif 000006
【図５】
2004089564.tif 000007
【図６】
2004089564.tif 000008
【図７】
2004089564.tif 000009
【図８】
2004089564.tif 000010
【図９】
2004089564.tif 000011
【図１０】
2004089564.tif 000012
【図１１】
2004089564.tif 000013